(57)【要約】      （修正有）【課題】小売企業の店舗における在庫均一化・業務を負荷軽減することが可能な定期配品装置、定期配品方法、及び定期配品プログラムを提供する。【解決手段】定期配品装置は、複数の店舗毎に、商品毎の基準在庫数を登録した第１のマスタと、商品毎の配送倉庫の在庫数のデータを含む在庫データと、各店舗毎に、対象の商品について第１のマスタを参照して、基準在庫数を取得し、取得した基準在庫数と、店舗の現在在庫数又は現在在庫数から確保されている分を差し引いた店舗にあるフリーな在庫数である可能数とに基づいて、配品必要数を算出する配品必要数を算出する配品必要数算出手段と、算出された配品必要数に基づいて、各店舗に対象の商品について配送倉庫の在庫の振分を行って配品予定数を算出する配品予定数算出手段とを備える。【選択図】図２
2020166624.tif 000002
【特許請求の範囲】
【請求項１】
記憶部及び制御部を備え、小売業の複数の店舗に配品するための定期配品装置であって、
前記記憶部には、
複数の店舗毎に、商品毎の基準在庫数を登録した第１のマスタと、
商品毎の配送倉庫の在庫数のデータを含む在庫データと、
が格納されており、
前記制御部は、
各店舗毎に、対象の商品について前記第１のマスタを参照して、基準在庫数を取得し、取得した基準在庫数と、当該店舗の現在在庫数又は現在在庫数から確保されている分を差し引いた店舗にあるフリーな在庫数である可能数とに基づいて、配品必要数を算出する配品必要数を算出する配品必要数算出手段と、
前記算出された配品必要数に基づいて、各店舗に対象の商品について配送倉庫の在庫の振分を行って配品予定数を算出する配品予定数算出手段と、
を備えたことを特徴とする定期配品装置。
【請求項２】
前記記憶部には、
前記配品必要数を算出する場合に、前記現在在庫数又は前記可能数を使用するかを設定した第２のマスタが格納されており、
前記配品必要数算出手段は、前記第２のマスタに設定されている前記現在在庫数又は前記可能数を使用して、前記配品必要数を算出することを特徴とする請求項１に記載の定期配品装置。
【請求項３】
前記記憶部には、
各店舗毎の優先順位を登録した第３のマスタを格納しており、
前記配品予定数算出手段は、前記第３のマスタに設定された優先順位に従って、各店舗に均等振分を行うことを特徴とする請求項１又は請求項２に記載の定期配品装置。
【請求項４】
前記記憶部には、
商品について、代替の商品である読替商品を登録した第４のマスタを格納されており、  対象の商品について、前記第４のマスタで読替商品が設定されている場合には、前記配品必要数算出手段は、前記取得した基準在庫数と、対象の商品及び読替商品の当該店舗の現在在庫数、又は対象の商品の可能数及び読替商品の可能数とに基づいて、配品必要数を算出する配品必要数を算出し、前記配品予定数算出手段は、各店舗に、配送倉庫の対象の商品及び読替商品の在庫の振分を行って配品予定数を算出することを特徴とする請求項１〜請求項３のいずれか１つに記載の定期配品装置。
【請求項５】
制御部および記憶部を備えた情報処理装置で実行される定期配品方法であって、
前記記憶部には、
複数の店舗毎に、商品毎の基準在庫数を登録した第１のマスタと、
商品毎の配送倉庫の在庫数のデータを含む在庫データと、
が格納されており、
前記制御部において実行される、
各店舗毎に、対象の商品について前記第１のマスタを参照して、基準在庫数を取得し、取得した基準在庫数と、当該店舗の現在在庫数又は現在在庫数から確保されている分を差し引いた店舗にあるフリーな在庫数である可能数とに基づいて、配品必要数を算出する配品必要数を算出する配品必要数算出ステップと、
前記算出された配品必要数に基づいて、各店舗に対象の商品について配送倉庫の在庫の振分を行って配品予定数を算出する配品予定数算出ステップと、
を含むこと、を特徴とする定期配品方法。
【請求項６】
制御部および記憶部を備えた情報処理装置で実行するための定期配品プログラムであって、
前記記憶部には、
複数の店舗毎に、商品毎の基準在庫数を登録した第１のマスタと、
商品毎の配送倉庫の在庫数のデータを含む在庫データと、
が格納されており、
前記制御部において、
各店舗毎に、対象の商品について前記第１のマスタを参照して、基準在庫数を取得し、取得した基準在庫数と、当該店舗の現在在庫数又は現在在庫数から確保されている分を差し引いた店舗にあるフリーな在庫数である可能数とに基づいて、配品必要数を算出する配品必要数を算出する配品必要数算出ステップと、
前記算出された配品必要数に基づいて、各店舗に対象の商品について配送倉庫の在庫の振分を行って配品予定数を算出する配品予定数算出ステップと、
を実行させるための定期配品プログラム。
【発明の詳細な説明】
【技術分野】
【０００１】
本発明は、定期配品装置、定期配品方法、及び定期配品プログラムに関する。
【背景技術】
【０００２】
例えば、小売業の店舗に配品を行うシステムとして、例えば特許文献１がある。かかる特許文献１のシステムは、店舗に対して商品毎の引当単位を設定する第１のマスタと、第１のマスタに設定された対象店舗に対する引当単位に基づいて商品の引当順位を決定する引当順位決定部と、決定された引当順位と商品の在庫とに基づいて在庫引当処理を行って出荷依頼データを生成する在庫引当処理部とを備えている。
【先行技術文献】
【特許文献】
【０００３】
【特許文献１】特開２０１８−１３６８０１号公報
【発明の概要】
【発明が解決しようとする課題】
【０００４】
しかしながら、特許文献１では、小売企業の店舗における在庫均一化・店舗業務の負荷軽減に関して何等記載されていない。
【０００５】
本発明は、上記問題点に鑑みてなされたものであって、小売企業の店舗における在庫均一化・業務を負荷軽減することが可能な定期配品装置、定期配品方法、及び定期配品プログラムを提供することを目的とする。
【課題を解決するための手段】
【０００６】
上述した課題を解決し、目的を達成するために、本発明は、記憶部及び制御部を備え、小売業の複数の店舗に配品するための定期配品装置であって、前記記憶部には、複数の店舗毎に、商品毎の基準在庫数を登録した第１のマスタと、商品毎の配送倉庫の在庫数のデータを含む在庫データと、が格納されており、前記制御部は、各店舗毎に、対象の商品について前記第１のマスタを参照して、基準在庫数を取得し、取得した基準在庫数と、当該店舗の現在在庫数又は現在在庫数から確保されている分を差し引いた店舗にあるフリーな在庫数である可能数とに基づいて、配品必要数を算出する配品必要数を算出する配品必要数算出手段と、前記算出された配品必要数に基づいて、各店舗に対象の商品について配送倉庫の在庫の振分を行って配品予定数を算出する配品予定数算出手段と、を備えたことを特徴とする。
【０００７】
また、本発明の好ましい態様によれば、前記記憶部には、前記配品必要数を算出する場合に、前記現在在庫数又は前記可能数を使用するかを設定した第２のマスタが格納されており、前記配品必要数算出手段は、前記第２のマスタに設定されている前記現在在庫数又は前記可能数を使用して、前記配品必要数を算出することにしてもよい。
【０００８】
また、本発明の好ましい態様によれば、前記記憶部には、各店舗毎の優先順位を登録した第３のマスタを格納しており、前記配品予定数算出手段は、前記第３のマスタに設定された優先順位に従って、各店舗に均等振分を行うことにしてもよい。
【０００９】
また、本発明の好ましい態様によれば、前記記憶部には、商品について、代替の商品である読替商品を登録した第４のマスタを格納されており、対象の商品について、前記第４のマスタで読替商品が設定されている場合には、前記配品必要数算出手段は、前記取得した基準在庫数と、対象の商品及び読替商品の当該店舗の現在在庫数、又は対象の商品の可能数及び読替商品の可能数とに基づいて、配品必要数を算出する配品必要数を算出し、前記配品予定数算出手段は、各店舗に、配送倉庫の対象の商品及び読替商品の在庫の振分を行って配品予定数を算出することにしてもよい。
【００１０】
また、上述した課題を解決し、目的を達成するために、本発明は、制御部および記憶部を備えた情報処理装置で実行される定期配品方法であって、前記記憶部には、複数の店舗毎に、商品毎の基準在庫数を登録した第１のマスタと、商品毎の配送倉庫の在庫数のデータを含む在庫データと、が格納されており、前記制御部において実行される、各店舗毎に、対象の商品について前記第１のマスタを参照して、基準在庫数を取得し、取得した基準在庫数と、当該店舗の現在在庫数又は現在在庫数から確保されている分を差し引いた店舗にあるフリーな在庫数である可能数とに基づいて、配品必要数を算出する配品必要数を算出する配品必要数算出ステップと、前記算出された配品必要数に基づいて、各店舗に対象の商品について配送倉庫の在庫の振分を行って配品予定数を算出する配品予定数算出ステップと、を含むこと、を特徴とする。
【００１１】
また、上述した課題を解決し、目的を達成するために、本発明は、制御部および記憶部を備えた情報処理装置で実行するための定期配品プログラムであって、前記記憶部には、複数の店舗毎に、商品毎の基準在庫数を登録した第１のマスタと、商品毎の配送倉庫の在庫数のデータを含む在庫データと、が格納されており、前記制御部において、各店舗毎に、対象の商品について前記第１のマスタを参照して、基準在庫数を取得し、取得した基準在庫数と、当該店舗の現在在庫数又は現在在庫数から確保されている分を差し引いた店舗にあるフリーな在庫数である可能数とに基づいて、配品必要数を算出する配品必要数を算出する配品必要数算出ステップと、前記算出された配品必要数に基づいて、各店舗に対象の商品について配送倉庫の在庫の振分を行って配品予定数を算出する配品予定数算出ステップと、を実行させるための定期配品プログラムであることを特徴とする。
【発明の効果】
【００１２】
本発明によれば、小売企業の店舗における在庫均一化・業務を負荷軽減することが可能になるという効果を奏する。
【図面の簡単な説明】
【００１３】
【図１】図１は、本実施の形態に係る定期配品装置の概略のイメージを示す図ある。
【図２】図２は、本実施の形態に係る定期配品装置の構成の一例を示すブロック図である。
【図３】図３は、基本情報マスタのデータ構成例を示す図である。
【図４】図４は、倉庫商品別基準在庫マスタのデータ構成例を示す図である。
【図５】図５は、定期配品倉庫優先順マスタのデータ構成例を示す図である。
【図６】図６は、定期配品商品読替マスタのデータ構成例を示す図である。
【図７】図７は、集計結果ワークテーブルのデータ構成例を示す図である。
【図８】図８は、製品在庫データのデータ構成例を示す図である。
【図９】図９は、発注データ構成例を示す図である。
【図１０】図１０は、配品必要数の算出方法を説明するための図である。
【図１１−Ａ】図１１−Ａは、配品予定数の算出方法（基本）を説明するための図である。図１１−Ａは、配品必要数の算出を説明するための図である。図１１−Ｂは、配品予定数の算出及び発注データを説明するための図である。
【図１１−Ｂ】図１１−Ｂは、配品予定数の算出方法（基本）を説明するための図である。
【図１２−Ａ】図１２−Ａは、配品予定数の算出方法（読替商品の設定ありの場合）を説明するための図である。
【図１２−Ｂ】図１２−Ｂは、配品予定数の算出方法（読替商品の設定ありの場合）を説明するための図である。
【図１３】図１３は、配品予定一覧を示す図である。
【図１４】図１４は、配品依頼書の一例を示す図である。
【発明を実施するための形態】
【００１４】
以下に、本発明に係る定期配品装置、定期配品方法および定期配品プログラムの実施形態を、図面に基づいて詳細に説明する。なお、本発明は本実施形態により限定されるものではない。
【００１５】
［１．概要］
例えば、複数店舗展開している宝飾品を取り扱う小売企業においては、多品種少量の商品を扱うことになる。店舗においても同様の在庫状態となる為、一品種単位での在庫管理が販売機会損失の防止につながると言える。店舗主導のもとで、在庫管理を行い必要数分を本部より調達しようとすると、多品種ゆえに在庫管理・発注管理が煩雑かつ不正確なものになる可能性が高い。
【００１６】
また、商品そのものの生産数も少ない為に店舗希望分すべてを十分に賄う在庫量が確保できない状態も考えられる。
【００１７】
そこで、本実施の形態では、小売企業の本部の定期配品装置が一定の基準の中で定期的な在庫補充を行うことにより、在庫均一化・店舗業務の負荷軽減することを可能とする。
【００１８】
図１は、本実施の形態に係る定期配品装置の概略のイメージを示す図ある。本実施の形態では、（１）大量の種類の商品（例えば、ジュエリー量産品）に関して、商品・店舗毎に基準在庫を設定する。（２）各店舗在庫と設定基準在庫、配送倉庫の「製品在庫」を比較し、定期配品数を自動算出する（３）算出された配品数に基づいて配送倉庫にて製品在庫のピッキング作業、出荷作業を行う。（４）店舗に優先順はあるが、可能な限り全店舗に配品されるように振分を行う（店舗均等振分）。（５）多品種少量であるため、各店舗における欠品をできるだけ少なくするように振分を行う。（６）定期配品集計処理は、マスタと各店舗の現在庫と配送倉庫の製品在庫を参照し実行する。
【００１９】
［２．構成］
本実施の形態に係る定期配品装置１００の構成について、図２を用いて説明する。図２は、本実施の形態に係る定期配品装置１００の構成の一例を示すブロック図である。
【００２０】
定期配品装置１００は、市販のデスクトップ型パーソナルコンピュータである。なお、定期配品装置１００は、デスクトップ型パーソナルコンピュータのような据置型情報処理装置に限らず、市販されているノート型パーソナルコンピュータ、ＰＤＡ（Ｐｅｒｓｏｎａｌ  Ｄｉｇｉｔａｌ  Ａｓｓｉｓｔａｎｔｓ）、スマートフォン、タブレット型パーソナルコンピュータなどの携帯型情報処理装置であってもよい。
【００２１】
定期配品装置１００は、図１に示すように、制御部１０２と通信インターフェース部１０４と記憶部１０６と入出力インターフェース部１０８と、を備えている。定期配品装置１００が備えている各部は、任意の通信路を介して通信可能に接続されている。
【００２２】
通信インターフェース部１０４は、ルータ等の通信装置および専用線等の有線又は無線の通信回線を介して、定期配品装置１００をネットワーク３００に通信可能に接続する。通信インターフェース部１０４は、他の装置と通信回線を介してデータを通信する機能を有する。ここで、ネットワーク３００は、定期配品装置１００とサーバ２００と、店舗の端末装置４００・・・を相互に通信可能に接続する機能を有し、例えばインターネットやＬＡＮ（Ｌｏｃａｌ  Ａｒｅａ  Ｎｅｔｗｏｒｋ）等である。なお、後述する記憶部１０６に格納されるデータは、サーバ２００に格納されてもよい。
【００２３】
入出力インターフェース部１０８には、入力装置１１２および出力装置１１４が接続されている。出力装置１１４には、モニタ（家庭用テレビを含む）の他、スピーカやプリンタを用いることができる。入力装置１１２には、キーボード、マウス、およびマイクの他、マウスと協働してポインティングデバイス機能を実現するモニタを用いることができる。なお、以下では、出力装置１１４をモニタ１１４とし、入力装置１１２をキーボード１１２またはマウス１１２として記載する場合がある。
【００２４】
記憶部１０６には、各種のデータベース、テーブル、およびファイルなどが格納される。記憶部１０６には、ＯＳ（Ｏｐｅｒａｔｉｎｇ  Ｓｙｓｔｅｍ）と協働してＣＰＵ（Ｃｅｎｔｒａｌ  Ｐｒｏｃｅｓｓｉｎｇ  Ｕｎｉｔ）に命令を与えて各種処理を行うためのコンピュータプログラムが記録される。記憶部１０６として、例えば、ＲＡＭ（Ｒａｎｄｏｍ  Ａｃｃｅｓｓ  Ｍｅｍｏｒｙ）・ＲＯＭ（Ｒｅａｄ  Ｏｎｌｙ  Ｍｅｍｏｒｙ）等のメモリ装置、ハードディスクのような固定ディスク装置、フレキシブルディスク、および光ディスク等を用いることができる。
【００２５】
記憶部１０６は、基本情報マスタ１０６ａと、倉庫商品別基準在庫マスタ１０６ｂと、定期配品倉庫優先順マスタ１０６ｃと、定期配品商品読替マスタ１０６ｄと、集計結果ワークテーブル１０６ｅと、製品在庫データファイル１０６ｆと、現在庫データファイル１０６ｇと、発注データファイル１０６ｈとを備えている。
【００２６】
図３は、基本情報マスタ１０６ａのデータ構成例を示す図である。図４は、倉庫商品別基準在庫マスタ１０６ｂのデータ構成例を示す図である。図５は、定期配品倉庫優先順マスタ１０６ｃのデータ構成例を示す図である。図６は、定期配品商品読替マスタ１０６ｄのデータ構成例を示す図である。図７は、集計結果ワークテーブル１０６ｅのデータ構成例を示す図である。図８は、製品在庫データのデータ構成例を示す図である。図９は、発注データ構成例を示す図である。
【００２７】
基本情報マスタ１０６ａは、配品必要数の算出方法を設定するためのマスタである。基本情報マスタ１０６ａは、図３に示すように、配品算出方法区分（例えば、１：現在庫数、２：可能数）を登録したテーブル等で構成することができる。
【００２８】
倉庫商品別基準在庫マスタ１０６ｂは、倉庫（店舗）及び商品毎に基準在庫数を設定するためのマスタである。倉庫商品別基準在庫マスタ１０６ｂは、図４に示すように、倉庫コード、商品コード、基準在庫区分、基準在庫数、及び配品先倉庫コードのデータを関連づけて登録したテーブル等で構成することができる。
【００２９】
定期配品倉庫優先順マスタ１０６ｃは、倉庫（店舗）毎に配品グループ及び定期配品の在庫振分時の優先順を設定するためのマスタである。定期配品倉庫優先順マスタ１０６ｃは、図５に示すように、倉庫コード、配品グループ、及び優先順のデータを関連づけて登録したテーブル等で構成することができる。
【００３０】
定期配品商品読替マスタ１０６ｄは、基準在庫商品と代替可能な読替パターン商品を設定するためのマスタである。定期配品商品読替マスタ１０６ｄは、図６に示すように、基準在庫商品コード、及び読替商品コードのデータを関連づけて登録したテーブル等で構成することができる。
【００３１】
集計結果ワークテーブル１０６ｅは、集計結果等を格納するためのテーブルである。集計結果ワークテーブル１０６ｅは、図７に示すように、配品先倉庫コード、配品グループ、引当商品コード、及び配品予定数のデータを関連づけて登録する。
【００３２】
製品在庫データファイル１０６ｆは、配送倉庫の製品在庫データを格納するためのファイルである。製品在庫データは、図８に示すように、商品コードと製品在庫数のデータを含んでいてもよい。
【００３３】
現在庫データファイル１０６ｇは、各店舗の倉庫の現在庫数データを格納するためのファイルである。現在庫データは、現在倉庫コード、商品コード、現在庫数のデータを含んでいてもよい。
【００３４】
発注データファイル１０６ｈは、発注データを格納するためのファイルである。発注データは、図９に示すように、発注番号、発注日、仕入先、倉庫、商品、発注数、仕入単価のデータを含んでいてもよい。
【００３５】
制御部１０２は、定期配品装置１００を統括的に制御するＣＰＵ等である。制御部１０２は、ＯＳ等の制御プログラム・各種の処理手順等を規定したプログラム・所要データなどを格納するための内部メモリを有し、格納されているこれらのプログラムに基づいて種々の情報処理を実行する。ここで、制御部１０２は、機能概念的に、在庫データ処理部１０２ａと、配品必要数算出部１０２ｂと、配品予定数算出部１０２ｃと、マスタメンテ部１０２ｅとを備えている。
【００３６】
在庫データ処理部１０２ａは、製品在庫データファイル１０６ｆに格納する製品庫データや現在庫データファイル１０６ｇに格納する現在庫データの作成・更新を行う。
【００３７】
配品必要数算出部１０２ｂは、各店舗毎に、対象の商品について、倉庫商品別基準在庫マスタ１０６ｂ（第１のマスタ）を参照して、基準在庫数を取得し、取得した基準在庫数と、当該店舗の現在在庫数又は現在在庫数から確保されている分を差し引いた店舗にあるフリーな在庫数である可能数とに基づいて、配品必要数を算出する。
【００３８】
配品必要数算出部１０２ｂは、基本情報マスタ１０６ａ（第２のマスタ）に設定されている現在在庫数又は可能数を使用して、配品必要数を算出してもよく、具体的には、現在在庫数を使用する場合は、配品必要数＝基準在庫数−現在在庫数、可能数を使用する場合は、配品必要数＝基準在庫数−可能数としてもよい。
【００３９】
配品予定数算出部１０２ｃは、配品必要数算出部１０２ｂで算出された配品必要数に基づいて、各店舗に対象の商品について、製品在庫データを参照して、配送倉庫の在庫の振分を行って配品予定数を算出する。
【００４０】
また、配品予定数算出部１０２ｃは、定期配品倉庫優先順マスタ１０６ｃ（第３のマスタ）に設定されている優先順位に従って、各店舗に均等振分を行うことにしてもよい。
【００４１】
また、対象の商品について、定期配品商品読替マスタ１０６ｄ（第４のマスタで）で読替商品が設定されている場合には、配品必要数算出部１０２ｂは、取得した基準在庫数と、対象の商品及び読替商品の当該店舗の現在在庫数、又は対象の商品の可能数及び読替商品の可能数とに基づいて、配品必要数を算出し、配品予定数算出部１０２ｃは、各店舗に、対象の商品と読替商品の配送倉庫の在庫の振分を行って配品予定数を算出することにしてもよい。
【００４２】
発注処理部１０２ｄは、配品予定数算出部１０２ｃで算出された配品予定数に基づいて、発注データを作成する。
【００４３】
マスタメンテ部１０２ｅは、モニタ１１４に表示される不図示のマスタメンテ画面上での管理者等の操作に応じて、基本情報マスタ１０６ａ、倉庫商品別基準在庫マスタ１０６ｂ、定期配品倉庫優先順マスタ１０６ｃ、定期配品商品読替マスタ１０６ｄのデータの入力・追加・削除・変更・更新等の編集（設定）を行うためのものである。
【００４４】
［３．処理の具体例］
本実施の形態に係る定期配品装置１００の制御部１０２の処理の具体例について、図２及び図１０〜図１１を参照して説明する。
【００４５】
（配品必要数の算出方法）
図１０は、配品必要数の算出方法を説明するための図である。図１０において、配品必要数の算出は、（１）現在庫ベースと、（２）可能数ベースの２通りが可能となっている。配品必要数算出部１０２ｂは、基本情報マスタ１０６ａに設定されている現在在庫数又は可能数を使用して、配品必要数を算出する。現在庫ベースとするか、可能数ベースとするかは、オペレータが基本情報マスタ１０６ａで設定可能に構成されている。倉庫（店舗）毎や商品毎ではなく、システム全体に対してどちらを採用するかを決定している。
【００４６】
（１）現在庫ベース
配品必要数＝｛各倉庫（店舗）の該当商品の基準在庫数｝−｛各店舗（倉庫）の該当商品の現在庫数｝で算出する。基準在庫数は倉庫商品別基準在庫マスタ１０６ｂで設定する。現在庫数は、集計処理時点での現在庫数（売上結果、送品（移動）結果、を加味）、確保されている分も、現在庫数に含まれる。
【００４７】
（２）可能数ベース
配品必要数＝｛各倉庫（店舗）の該当商品の基準在庫数｝−｛各店舗（倉庫）の該当商品の可能数｝で算出する。基準在庫数は倉庫商品別基準在庫マスタ１０６ｂで設定する。可能数は、集計処理時点での現在庫数（売上結果、送品（移動）結果、を加味）から確保されている分を差し引いた店舗にあるフリーな在庫数とする。
【００４８】
（配品予定数の算出方法（基本））
図１１−Ａ及び図１１−Ｂは、配品予定数の算出方法（基本）を説明するための図である。図１１−Ａは、配品必要数の算出を説明するための図である。図１１−Ｂは、配品予定数の算出及び発注データを説明するための図である。
【００４９】
各倉庫（店舗）・商品毎に算出された「配品必要数」に対して、「製品在庫」を倉庫（店舗）優先順に従って消し込む。
【００５０】
図１１−Ａ及び図１１−Ｂにおいて、（Ａ）は、製品在庫データの例を示している。（Ａ）に示す製品在庫データの例では、「商品〇〇〇〇」の製品在庫数は「５」となっている。（Ｂ）は、基本情報マスタ１０６ａのデータ例を示している。（Ｂ）に示す基本情報マスタ１０６ａの例では、「現在庫ベース」が設定されている。
【００５１】
（Ｃ）は、商品〇〇〇〇について、各倉庫毎の配品必要数の算出を説明するための図である。配品必要数算出部１０２ｂは、基本情報マスタ１０６ａの設定（「現在庫ベース」）に従って、倉庫商品別基準在庫マスタ１０６ｂで設定される全ての倉庫（店舗）を対象として、倉庫毎に、対象の商品〇〇〇〇の基準在庫数を取得すると共に、現在在庫データの現在在庫数を取得し、配品必要数＝基準在庫数−現在在庫数を算出する。
【００５２】
（Ｃ）において、１行目は、倉庫（店舗）「倉庫（店舗）Ａ」、現在在庫数「１」、確保数「１」、可能数「０」、基準在庫数「３」、優先順「２」となっており、配品必要数＝基準在庫「３」−現在庫数「１」＝２となる。
【００５３】
２行目は、倉庫（店舗）「倉庫（店舗）Ｂ」、現在在庫数「０」、確保数「０」、可能数「０」、基準在庫数「５」、優先順「１」となっており、配品必要数＝基準在庫「５」−現在庫数「０」＝５となる。
【００５４】
３行目は、倉庫（店舗）「倉庫（店舗）Ｃ」、現在在庫数「５」、確保数「２」、可能数「３」、基準在庫数「１」、優先順「３」となっており、配品必要数＝基準在庫「１」−現在庫数「５」＝０（マイナスは０とする）となる。
【００５５】
（Ｄ）は、各倉庫（店舗）毎の振分を説明するための図である。配品予定数算出部１０２ｃは、算出された配品必要数に基づいて、各店舗に、定期配品倉庫優先順マスタ１０６ｃに設定されている優先順位に従って、製品在庫データの製品在庫（在庫数「５」）の店舗均等振分を行って配品予定数を算出する。
【００５６】
倉庫（店舗）Ｂ、Ａ、Ｃの順に、優先順位「１」、「２」「３」となっており、配品必要数は、「５」、「２」、「０」となっている。倉庫（店舗）毎の優先順に従って、均等振分方式を使用して、各倉庫（店舗）に対して１点ずつ製品在庫数を均等に振り分け行う。（Ｄ）に示す例では、振分可能な「５」個の在庫について、振分１回目では、倉庫（店舗）Ｂ、Ａに、１個ずつ（＋１）、振分２回目では、倉庫（店舗）Ｂ、Ａに、１個ずつ（＋１）、振分３回目では、倉庫（店舗）Ｂに、１個（＋１）振り分ける。これにより、「倉庫（店舗）Ｂ」の配品予定数「３」、「倉庫（店舗）Ａ」の配品予定数「２」、「倉庫（店舗）Ｃ」の配品予定数「０」となる。配品予定数「０」となった倉庫・商品分については、発送データを作成しない。
【００５７】
（Ｅ）は、発注データの作成を説明するための図である。発注処理部１０２ｄは、配品予定数算出部１０２ｃで算出された配品予定数に基づいて、倉庫（店舗）毎に発注データを作成する。
【００５８】
（Ｅ）に示す例では、１行目は、発注番号「０５０００００００００１」、発注日「（集計日）」、仕入先「配送倉庫」、倉庫「倉庫（店舗）Ａ」、商品「商品〇〇〇〇〇」、発注数「２」、仕入単価「１０，０００」となっている。２行目は、発注番号「０５０００００００００２」、発注日「（集計日）」、仕入先「配送倉庫」、倉庫「倉庫（店舗）Ｂ」、商品「商品〇〇〇〇〇」、発注数「３」、仕入単価「１０，０００」となっている。
【００５９】
（配品予定数の算出方法（読替商品の設定ありの場合）
つぎに、定期配品商品読替マスタ１０６ｄで対象の商品について読替商品が設定されている場合について説明する。基準在庫商品と読替商品の総数（合計）にて配品予定数を算出する。配品予定数算出部１０２ｃは、対象の商品について、定期配品商品読替マスタ１０６ｄ読替商品が設定されている場合には、各店舗に、対象の商品と読替商品の振分を行って配品予定数を算出する。
【００６０】
図１２−Ａ及び図１２−Ｂは、配品予定数の算出方法（読替商品の設定ありの場合）を説明するための図である。図１２−Ａは、配品必要数の算出を説明するための図である。図１２−Ｂは、配品予定数の算出及び発注データを説明するための図である。
【００６１】
１２−Ａ及び図１２−Ｂにおいて、（Ａ）は、定期配品商品読替マスタ１０６ｄのデータ例を示す図である。（Ａ）に示す定期配品商品読替マスタ１０６ｄの例では、現在基準商品「Ａ００１」について、読替商品「Ａ００２」が設定されている。
【００６２】
（Ｃ）に示す製品在庫数の例では、商品「Ａ００１」の在庫数が「３」、商品「Ａ００２」の在庫数が「１」となっている。
【００６３】
（Ｄ）は、読替設定がある場合の各倉庫毎の配品必要数の算出を説明するための図である。配品必要数算出部１０２ｂは、定期配品商品読替マスタ１０６ｄで対象の商品（基準在庫商品：Ａ００１）の読替商品（Ａ００２）が設定されている場合には、配品必要数を、配信必要数＝基準在庫数−（基準在庫商品（読替前商品）在庫数＋読替商品（読替後商品）在庫数）により算出する。
【００６４】
（Ｄ）において、１行目の倉庫（店舗）「倉庫（店舗）Ａ」は、商品「Ａ０００１」については、現在在庫数「１」、基準在庫数「５」、優先順「２」、商品「Ａ０００２」については、現在在庫数「２」となっている。配品必要数＝｛基準在庫数−（読替前商品在庫数＋読替後商品在庫数）｝で算出し、配品必要数＝｛基準在庫「５」−（読替前商品在庫数「１」＋読替後商品在庫数「２」）｝＝２となる。２行目の倉庫（店舗）「倉庫（店舗）Ｂ」は、商品「Ａ０００１」については、現在在庫数「０」、基準在庫数「４」、優先順「１」、商品「Ａ０００２」については、現在在庫数「２」となっている。配品必要数＝＝｛基準在庫「４」−（読替前商品在庫数「０」＋読替後商品在庫数「２」）｝＝２となる。
【００６５】
（Ｅ）は、各倉庫（店舗）毎の振分を説明するための図である。配品予定数算出部１０２ｃは、各店舗に、対象の商品と読替商品の配送倉庫の在庫の振分を行って配品予定数を算出することにしてもよい。
【００６６】
（Ｅ）において、倉庫（店舗）Ｂ、Ａの順に、優先順位「１」、「２」となっており、配品必要数は、「２」、「２」となっている。倉庫（店舗）毎の優先順に従って、均等振分方式を使用して、各倉庫（店舗）に対して１点ずつ製品在庫数を均等に振り分け行う。（Ｅ）に示す例では、振分可能な「４（Ａ００１は３、Ａ００２は１）」個の在庫について、最初にＡ００１を、次にＡ００２は振り分ける。振分１回目では、倉庫（店舗）Ｂ、Ａに、Ａ００１を１個ずつ（＋１）、振分２回目では、倉庫（店舗）ＢにＡ００１を１個（＋１）、ＡにＡ００２を１個（＋１）振り分ける。これにより、「倉庫（店舗）Ｂ」の配品予定数「２（Ａ００１を２個）」、「倉庫（店舗）Ａ」の配品予定数「２（Ａ００１を１個、Ａ００２を１個）」となる。
【００６７】
（Ｆ）は、発注データの作成を説明するための図である。発注処理部１０２ｄは、発注処理部１０２ｄは、配品予定数算出部１０２ｃで算出された配品予定数に基づいて、倉庫（店舗）毎に発注データを作成する。
【００６８】
同図に示す例では、１行目は、発注番号「０５０００００００００１」、発注日「（集計日）」、仕入先「配送倉庫」、倉庫「倉庫（店舗）Ａ」、商品「商品Ａ００１」、発注数「１」、仕入単価「１０，０００」、商品「商品Ａ００２」、発注数「１」、仕入単価「１０，０００」となる。
【００６９】
２行目は、発注番号「０５０００００００００２」、発注日「（集計日）」、仕入先「配送倉庫」、倉庫「倉庫（店舗）Ｂ」、商品「Ａ００１」、発注数「２」、仕入単価「１０，０００」となっている。
【００７０】
図１３は、配品予定一覧を示している。図１３に示すように、商品は、基準在庫商品として表現し、読替後商品は表現しない。また、現在庫数、配品必要数、配品予定数は、基準在庫商品と読替後商品の総数にて表現する。
【００７１】
図１４は、配品依頼書の一例を示す図である。配品依頼書には、実際に配品する商品を表現し、基準在庫商品と読替後商品を表現する。
【００７２】
以上説明したように、本実施の形態によれば、複数の店舗毎に、商品毎の基準在庫数を登録した倉庫商品別基準在庫マスタ１０６ｂと、各店舗毎に、対象の商品について前記第１のマスタを参照して、基準在庫数を取得し、取得した基準在庫数と、当該店舗の現在在庫数又は現在在庫数から確保されている分を差し引いた店舗にあるフリーな在庫数である可能数とに基づいて、配品必要数を算出する配品必要数を算出する配品必要数算出部１０２ｂと、算出された配品必要数に基づいて、各店舗に対象の商品について配送倉庫の在庫の振分を行って配品予定数を算出する配品予定数算出部１０２ｃと、を備えているので、
小売企業の店舗における在庫均一化・業務を負荷軽減することが可能になる。
【００７３】
［４．他の実施形態］
本発明は、上述した実施形態以外にも、特許請求の範囲に記載した技術的思想の範囲内において種々の異なる実施形態にて実施されてよいものである。
【００７４】
例えば、実施形態において説明した各処理のうち、自動的に行われるものとして説明した処理の全部または一部を手動的に行うこともでき、あるいは、手動的に行われるものとして説明した処理の全部または一部を公知の方法で自動的に行うこともできる。
【００７５】
また、本明細書中や図面中で示した処理手順、制御手順、具体的名称、各処理の登録データや検索条件等のパラメータを含む情報、画面例、データベース構成については、特記する場合を除いて任意に変更することができる。
【００７６】
また、定期配品装置１００に関して、図示の各構成要素は機能概念的なものであり、必ずしも物理的に図示の如く構成されていることを要しない。  
【００７７】
例えば、定期配品装置１００が備える処理機能、特に制御部１０２にて行われる各処理機能については、その全部または任意の一部を、ＣＰＵおよび当該ＣＰＵにて解釈実行されるプログラムにて実現してもよく、また、ワイヤードロジックによるハードウェアとして実現してもよい。尚、プログラムは、本実施形態で説明した処理を情報処理装置に実行させるためのプログラム化された命令を含む一時的でないコンピュータ読み取り可能な記録媒体に記録されており、必要に応じて定期配品装置１００に機械的に読み取られる。すなわち、ＲＯＭまたはＨＤＤ（Ｈａｒｄ  Ｄｉｓｋ  Ｄｒｉｖｅ）などの記憶部などには、ＯＳと協働してＣＰＵに命令を与え、各種処理を行うためのコンピュータプログラムが記録されている。このコンピュータプログラムは、ＲＡＭにロードされることによって実行され、ＣＰＵと協働して制御部を構成する。
【００７８】
また、このコンピュータプログラムは、定期配品装置１００に対して任意のネットワークを介して接続されたアプリケーションプログラムサーバに記憶されていてもよく、必要に応じてその全部または一部をダウンロードすることも可能である。
【００７９】
また、本実施形態で説明した処理を実行するためのプログラムを、一時的でないコンピュータ読み取り可能な記録媒体に格納してもよく、また、プログラム製品として構成することもできる。ここで、この「記録媒体」とは、メモリーカード、ＵＳＢ（Ｕｎｉｖｅｒｓａｌ  Ｓｅｒｉａｌ  Ｂｕｓ）メモリ、ＳＤ（Ｓｅｃｕｒｅ  Ｄｉｇｉｔａｌ）カード、フレキシブルディスク、光磁気ディスク、ＲＯＭ、ＥＰＲＯＭ（Ｅｒａｓａｂｌｅ  Ｐｒｏｇｒａｍｍａｂｌｅ  Ｒｅａｄ  Ｏｎｌｙ  Ｍｅｍｏｒｙ）、ＥＥＰＲＯＭ（登録商標）（Ｅｌｅｃｔｒｉｃａｌｌｙ  Ｅｒａｓａｂｌｅ  ａｎｄ  ＰｒｏｇｒａｍｍａＢＳｅ  Ｒｅａｄ  Ｏｎｌｙ  Ｍｅｍｏｒｙ）、ＣＤ−ＲＯＭ（Ｃｏｍｐａｃｔ  Ｄｉｓｋ  Ｒｅａｄ  Ｏｎｌｙ  Ｍｅｍｏｒｙ）、ＭＯ（Ｍａｇｎｅｔｏ−Ｏｐｔｉｃａｌ  ｄｉｓｋ）、ＤＶＤ（Ｄｉｇｉｔａｌ  Ｖｅｒｓａｔｉｌｅ  Ｄｉｓｋ）、および、Ｂｌｕ−ｒａｙ（登録商標）  Ｄｉｓｃ等の任意の「可搬用の物理媒体」を含むものとする。
【００８０】
また、「プログラム」とは、任意の言語または記述方法にて記述されたデータ処理方法であり、ソースコードまたはバイナリコード等の形式を問わない。なお、「プログラム」は必ずしも単一的に構成されるものに限られず、複数のモジュールやライブラリとして分散構成されるものや、ＯＳに代表される別個のプログラムと協働してその機能を達成するものを含む。なお、実施形態に示した各装置において記録媒体を読み取るための具体的な構成および読み取り手順ならびに読み取り後のインストール手順等については、周知の構成や手順を用いることができる。
【００８１】
記憶部１０６に格納される各種のデータベース等は、ＲＡＭ、ＲＯＭ等のメモリ装置、ハードディスク等の固定ディスク装置、フレキシブルディスク、および、光ディスク等のストレージ手段であり、各種処理やウェブサイト提供に用いる各種のプログラム、テーブル、データベース、および、ウェブページ用ファイル等を格納する。
【００８２】
また、定期配品装置１００は、既知のパーソナルコンピュータまたはワークステーション等の情報処理装置として構成してもよく、また、任意の周辺装置が接続された当該情報処理装置として構成してもよい。また、定期配品装置１００は、当該情報処理装置に本実施形態で説明した処理を実現させるソフトウェア（プログラムまたはデータ等を含む）を実装することにより実現してもよい。
【００８３】
更に、装置の分散・統合の具体的形態は図示するものに限られず、その全部または一部を、各種の付加等に応じてまたは機能付加に応じて、任意の単位で機能的または物理的に分散・統合して構成することができる。すなわち、上述した実施形態を任意に組み合わせて実施してもよく、実施形態を選択的に実施してもよい。
【産業上の利用可能性】
【００８４】
本発明は、特に、小売業界等の分野において有用である。
【符号の説明】
【００８５】
１００  定期配品装置
１０２  制御部
１０２ａ  在庫データ処理部
１０２ｂ  配品必要数算出部
１０２ｃ  配品予定数算出部
１０２ｄ  発注処理部
１０２ｅ  マスタメンテ部
１０４  通信インターフェース部
１０６  記憶部
１０６ａ  基本情報マスタ
１０６ｂ  倉庫商品別基準在庫マスタ
１０６ｃ  定期配品倉庫優先順マスタ
１０６ｄ  定期配品商品読替マスタ
１０６ｅ  集計結果ワークテーブル
１０６ｆ  製品在庫データファイル
１０６ｇ  現在庫データファイル
１０６ｈ  発注データファイル
１０８  入出力インターフェース部
１１２  入力装置
１１４  出力装置
２００  サーバ
３００  ネットワーク
４００  端末装置
【図１】
2020166624.tif 000003
【図２】
2020166624.tif 000004
【図３】
2020166624.tif 000005
【図４】
2020166624.tif 000006
【図５】
2020166624.tif 000007
【図６】
2020166624.tif 000008
【図７】
2020166624.tif 000009
【図８】
2020166624.tif 000010
【図９】
2020166624.tif 000011
【図１０】
2020166624.tif 000012
【図１１−Ａ】
2020166624.tif 000013
【図１１−Ｂ】
2020166624.tif 000014
【図１２−Ａ】
2020166624.tif 000015
【図１２−Ｂ】
2020166624.tif 000016
【図１３】
2020166624.tif 000017
【図１４】
2020166624.tif 000018